(57)【要約】【課題】  側壁板から該側壁板に隣接する内フラップまで連続して破断可能線で容易に破断できる包装箱を提供する。【解決手段】角筒状の胴部２と、胴部２の開放端を閉塞する閉塞部３と有する紙製の包装箱１であって、胴部２を構成する側壁板２２から閉塞部３を構成する内フラップ３１に亘って破断可能線４が形成されている。側壁板２２と内フラップ３１との稜線を含む境界には、破断可能線４を挟む位置に該稜線と交差する方向にそれぞれ延設された一対の切目線６１と、前記一対の切目線６１の対向する端部同士をそれぞれ結んだ一対の鈍角折目線ｈと、前記一対の切目線６１と前記一対の鈍角折目線ｈとで囲まれた傾斜面部６とが形成されている。【選択図】図１
2020132245.tif 000002
【特許請求の範囲】
【請求項１】
複数の側板からなる角筒状の胴部と、前記胴部の開放端を閉塞する一対の閉塞部と、一の側板から該一の側板に隣接する他の側板または該一の側板に隣接する閉塞部に亘って形成された破断可能線と、を有する紙製の包装箱において、
前記破断可能線が形成された前記一の側板と該一の側板に隣接する他の側板または該一の側板に隣接する閉塞部との稜線を含む境界には、該破断可能線を挟む位置に該稜線と交差する方向にそれぞれ延設された一対の切目線と、前記一対の切目線の対向する端部同士をそれぞれ結んだ一対の鈍角折目線と、前記一対の切目線と前記一対の鈍角折目線とで囲まれた傾斜面部とが形成されていることを特徴とする包装箱。
【請求項２】
請求項１記載の包装箱において、
前記胴部は、天板、底板及び一対の側壁板からなり、
前記閉塞部は、前記側壁板に連設された一対の内フラップと、前記天板及び前記底板にそれぞれ連設され前記内フラップの外表面に固定される一対の外フラップとからなり、
前記一対の外フラップの先端縁は、互いに間隙を有して対向し、
前記破断可能線は、各側壁板の中間部から該側壁板の両側縁に連設された各内フラップの先端縁まで形成されるとともに、前記内フラップのうち前記一対の外フラップの先端縁で挟まれた前記間隙に沿って延設されていることを特徴とする包装箱。
【請求項３】
請求項２に記載の包装箱において、
前記側壁板には、折目線と、該折目線の両端を繋ぐ屈曲状または湾曲状の手指挿入用破断可能線で囲まれて該側壁板の垂直方向の中央より下側に形成された破断開始部が前記破断可能線を跨ぐように形成され、
前記破断可能線は、前記破断開始部から内フラップの先端縁に向かって、漸次底板から離れるとともに該底板に向かって凸な湾曲状に形成されていることを特徴とする包装箱。
【発明の詳細な説明】
【技術分野】
【０００１】
本発明は、破断可能線によって開封される包装箱に関する。
【背景技術】
【０００２】
従来、この種の包装箱として、いわゆるラップアラウンド形式の包装箱であって、対向する長側面の中央に形成された破断開始部から該側壁板の両側縁に連設された一対の内フラップの先端縁まで破断可能線が形成されたものが知られている。（特許文献１参照）。
【０００３】
この種の包装箱では、各破断開始部に手指を挿入して側壁板の上半部を外側に引っ張ることで、包装箱の周囲を破断させて上下に分割することで下半部をトレイ状にしつつ開封させることができる。
【先行技術文献】
【特許文献】
【０００４】
【特許文献１】登録実用新案第３０４９４７９号公報
【発明の概要】
【発明が解決しようとする課題】
【０００５】
しかしながら、特許文献１の包装箱では、側壁板と内フラップとが直角に折り曲げられているため、側壁板を破断可能線で破断させた後に、その側板を破断させた力を、スムーズに内フラップに伝達させて内フラップを破断可能線で破断させることが容易ではないという不都合があった。
【０００６】
上記の点に鑑み、本発明は、一の側面から該一の側面に隣接する側面まで連続して破断可能線で容易に破断できる包装箱を提供することを目的とする。
【課題を解決するための手段】
【０００７】
かかる目的を達成するために、本発明の包装箱は、複数の側板からなる角筒状の胴部と、前記胴部の開放端を閉塞する一対の閉塞部と、一の側板から該一の側板に隣接する他の側板または該一の側板に隣接する閉塞部に亘って形成された破断可能線と、を有する紙製の包装箱において、前記破断可能線が形成された前記一の側板と該一の側板に隣接する他の側板または該一の側板に隣接する閉塞部との稜線を含む境界には、該破断可能線を挟む位置に該稜線と交差する方向にそれぞれ延設された一対の切目線と、前記一対の切目線の対向する端部同士をそれぞれ結んだ一対の鈍角折目線と、前記一対の切目線と前記一対の鈍角折目線とで囲まれた傾斜面部とが形成されていることを特徴とする。
【０００８】
本発明の包装箱では、側板からこの側板に隣接する側板（または閉塞部）に亘って破断可能線が形成されている。そして、この側板と隣接する側板（または閉塞部）との境界には両板を鈍角で繋ぐ傾斜面部が形成され、前記破断可能線はこの傾斜面部を通っている。
【０００９】
したがって、本発明の包装箱では、側板に設けられた破断可能線を破断させた後、該側板と９０度超で連結されている傾斜面部に設けられた破断可能線を破断させて、次いで、この傾斜面部と９０度超で連結されている隣接する側板（または閉塞部）に設けられた破断可能線を破断させるため、側板を破断させた力を、隣接する側板（または閉塞部）まで順次スムーズに伝達させることができる。
【００１０】
よって、本発明の包装箱によれば、一の側面から該一の側面に隣接する側面まで連続して破断可能線で容易に破断することができる。
【００１１】
また、本発明の包装箱において、前記胴部は、天板、底板及び一対の側壁板からなり、前記閉塞部は、前記側壁板に連設された一対の内フラップと、前記天板及び前記底板にそれぞれ連設され前記内フラップの外表面に固定される一対の外フラップとからなり、前記一対の外フラップの先端縁は、互いに間隙を有して対向し、前記破断可能線は、各側壁板の中間部から該側壁板の両側縁に連設された各内フラップの先端縁まで形成されるとともに、前記内フラップのうち前記一対の外フラップの先端縁で挟まれた前記間隙に沿って延設されていることが好ましい。
【００１２】
この構成を備える包装箱によれば、いわゆるラップアラウンド形式の包装箱において、側壁板と、内フラップのうち外フラップが固定されていない垂直方向中央部とを破断させることができるため、包装箱を上下に分割して下半部をトレイ状にすることができる。
【００１３】
この構成を備える包装箱では、さらに、前記側壁板には、折目線と、該折目線の両端を繋ぐ屈曲状または湾曲状の手指挿入用破断可能線で囲まれて該側壁板の垂直方向の中央より下側に形成された破断開始部が前記破断可能線を跨ぐように形成され、前記破断可能線は、前記破断開始部から内フラップの先端縁に向かって、漸次底板から離れるとともに該底板に向かって凸な湾曲状に形成されていることが好ましい。
【００１４】
この構成を備える包装箱によれば、天板と側壁板との稜線を回転軸として、側壁板の上半部を回動させることで該側壁板を破断可能線に沿って破断させることができる。このとき、破断可能線は、側壁板の垂直方向の中央より下側に形成された破断開始部から破断させるため、前記回転軸からの距離を大きくできることから、比較的小さな力で側壁板を破断させることができる。
【００１５】
また、この構成を備える包装箱では、前記破断開始部から内フラップの先端縁に向かって、漸次底板から離れるとともに該底板に向かって凸な湾曲状に形成されているため、両破断開始部を包装箱から離れる方向に引っ張ったとき、破断可能線は全体として弧状に近づくため、順次スムーズに破断させていくことができる。
【図面の簡単な説明】
【００１６】
【図１】本実施形態における包装箱を示す斜視図。
【図２】図１の包装箱の展開図。
【図３】図１の包装箱の開梱工程を説明するための説明図であって、側壁板を破断する工程を示す斜視図。
【図４】図１の包装箱の開梱工程を説明するための説明図であって、傾斜面部を破断する工程を示す斜視図。
【図５】図１の包装箱の開梱工程を説明するための説明図であって、内フラップを破断して包装箱の下半部をトレイ状にした状態を示す斜視図。
【発明を実施するための形態】
【００１７】
本発明の一実施形態を図面に基づいて説明する。本実施形態の包装箱１は、図１に示すように、外観が直方体状に形成され、内部に図示しない内容物が収納されている。
【００１８】
包装箱１は、所謂ラップアラウンドケースであり、水平方向に延びる胴部２と、胴部２の開放端を閉塞する一対の閉塞部３とを備える。
【００１９】
胴部２は、底板２１と、底板２１から起立する一対の側壁板２２と、両側壁板２２の先端縁を繋ぐ天板２３との４枚の側板からなる。
【００２０】
閉塞部３は、側壁板２２に連設された一対の内フラップ３１と、底板２１に連設された下方外フラップ３２と、天板２３に連設された上方外フラップ３３とからなる。
【００２１】
包装箱１には、側壁板２２の中央部から両側縁にそれぞれ連設された内フラップ３１の先端縁まで破断可能線４が水平方向に延設されている。側壁板２２の中央部には、破断可能線４に跨るように破断開始部５が形成されている。
【００２２】
側壁板２２と内フラップ３１との境界の上下方向中間部には、略矩形状の傾斜面部６が形成されている。
【００２３】
包装箱１は、図２に示すように、大略矩形状に打抜いて形成された段ボール板紙１０により組み立てられる。
【００２４】
段ボール板紙１０は、底板２１と、底板２１の右端縁に折目線ａを介してそれぞれ連設された側壁板２２と、この側壁板２２の右側縁に折目線ｂを介して連設された天板２３と、底板２１の左端縁に折目線ａを介してそれぞれ連設された側壁板２２と、この側壁板２２の左側縁に折目線ｃを介して連設された接着片２４とを有する。
【００２５】
両側壁板２２の上下端縁には、折目線ｄを介して内フラップ３１がそれぞれ連設されている。底板２１の上下端縁には、折目線ｅを介して下方外フラップ３２がそれぞれ連設されている。天板２３の上下端縁には、折目線ｆを介して上方外フラップ３３が連設されている。
【００２６】
下方外フラップ３２及び上方外フラップ３３は、先端縁のうち中央部に基端から離れる方向に延出された突当て部３４が形成され、全体として概略「凸」形状になっている。下方外フラップ３２及び上方外フラップ３３の基端から突当て部３４の先端までの高さ（図２における上下方向の長さ）は、内フラップ３１の横幅の約半分である。他方、内フラップ３１の基端から先端までの長さは、下方外フラップ３２及び上方外フラップ３３の横幅の半分より小である。
【００２７】
また、側壁板２２及び両内フラップ３１には、一方の内フラップ３１の先端から、側壁板２２を通り、他方の内フラップ３１の先端まで破断可能線４が形成されている。破断可能線４は、底板２１に向かって凸状に湾曲して弧を描いている。
【００２８】
破断可能線４は断続的な切れ目であって、各単位切れ目は、主として、破断方向に沿って延びる直線状切れ目４１と、直線状切れ目４１の折目線ｇ側の端部に接続され、底板２１から離れる方向に延びる補助切れ目４２とからなり、概略「ヘ」の字状に形成されている。
【００２９】
破断可能線４の上下方向の中央部には、折目線ａ及びｂに沿って平行に延びる折目線ｇが形成されている。折目線ｇは、高さ方向において中央部であって、かつ、左右方向において中央より底板２１側に設けられている。
【００３０】
折目線ｇの両端は、略倒「Ｍ」の字状の手指挿入用破断可能線５１によって接続されている。手指挿入用破断可能線５１は、断続的な切れ目によって形成されている。本発明の破断開始部５は、折目線ｇと手指挿入用破断可能線５１とによって構成されている。
【００３１】
側壁板２２と内フラップ３１との境界には、製函した際に稜線となる境界線に対して直交する方向に延びる切目線６１が、破断可能線４を挟むように一対設けられている。一対の切目線６１は、上端同士及び下端同士をそれぞれ結ぶように鈍角折目線ｈが設けられている。
【００３２】
上述した折目線ｄは、側壁板２２と内フラップ３１との境界線のうち、一対の切目線６１と一対の鈍角折目線ｈとで囲まれた領域の外側に設けられている。
【００３３】
次いで、以上の構成による図２示の段ボール板紙１０から図１示の包装箱１を形成する工程を説明する。
【００３４】
まず、底板２１上に図示しない複数の内容物が整列して載置し、各側壁板２２が折目線ａを介して起立される。
【００３５】
次いで、内フラップ３１が折目線ｄを介して側壁板２２に対して略直角に折り曲げられる。このとき、一対の鈍角折目線ｈ及び一対の切目線６１で囲まれた領域は、鈍角折目線ｈにより側壁板２２及び内フラップ３１に対してそれぞれ略１３５度をなして折り曲げられる。
【００３６】
次いで、底板２１の両側に連設された下方外フラップ３２が、折目線ｅを介して起立されると共に、各内フラップ３１の外面に接着剤を介して接着される。
【００３７】
続いて、接着片２４が折目線ｃを介して水平に折り曲げられ、天板２３が折目線ｂを介して底板２１に平行に折り曲げられ、天板２３が接着片２４の外側に接着剤を介して接着される。
【００３８】
その後、天板２３の両側に連設された上方外フラップ３３が折目線ｆを介して下方に折り曲げられ、下方外フラップ３２及び上方外フラップ３３の突き当て部３４が互いに突き当てられる。
【００３９】
そして、上方外フラップ３３は、各内フラップ３１の外面に接着剤を介して接着される。このとき、内フラップ３１に設けられた破断可能線４は、先端部を除く大部分において、下方外フラップ３２の先端縁と、上方外フラップ３３の先端縁との間に配置されている。言い換えれば、破断可能線４は、内フラップ３１のうち、下方外フラップ３２及び上方外フラップ３３が重ね合わされていない領域に形成されている。
【００４０】
以上により、内容物の包装が完了すると同時に図１示の包装箱１が形成される。
【００４１】
次に、本実施形態の包装箱１の開梱作業を説明する。
【００４２】
包装箱１を開梱するときには、図３に示すように、先ず、側壁板２２の破断開始部５に指を挿し込む。これにより、手指挿入用破断可能線５１を破断させ、折目線ｇで破断開始部５を側壁板２２に内表面に折り返して、側壁板２２を把持する。
【００４３】
次いで、側壁板２２の上側の内表面を外表面側に向かって引っ張ることで破断可能線４を左右側縁方向に向かってそれぞれ破断していく。このとき、側壁板の上側は、折目線ｂ，ｃにより天板２３に接続されているため、折目線ｂ，ｃを回動軸として斜め上方向に回動する。
【００４４】
さらに、側壁板２２の上側を外表面側から離れる方向に向かって引っ張ると、破断可能線４は、側壁板２２の左右側縁まで破断され、次いで、図４に示すように、傾斜面部６に設けられている破断可能線４が破断され、最後に、内フラップ３１に設けられている破断可能線４の一部まで破断される。
【００４５】
次いで、包装箱１の上半部を上方に引っ張ると、包装箱１は上下に分割され、下半部がトレイ状に形成される。
【００４６】
以上説明した包装箱１によれば、破断可能線４は、図４において、上下方向において中央より底板２１側から左右側縁に向かって設けられているため、相対的に前記回動軸（折目線ｂ，ｃ）からの距離を大きくできることから、比較的小さな力で側壁板を破断させることができる。
【００４７】
また、包装箱１では、破断可能線４は、破断開始部５から内フラップの先端縁に向かって、漸次底板２１から離れるとともに該底板２１に向かって凸な湾曲状に形成されている。そのため、破断開始部５を包装箱から離れる方向に引っ張ったとき、破断可能線４は、全体として弧状に近づくため、順次スムーズに破断させることができる。
【００４８】
また、包装箱１では、側壁板２２と内フラップ３１との境界に、両者を鈍角で繋ぐ傾斜面部６が形成され、破断可能線４はこの傾斜面部６を通っている。そのため、包装箱１では、側壁板２２に設けられた破断可能線４を破断させた後、側壁板２２と約１３５度で連結されている傾斜面部６に設けられた破断可能線４を破断させて、次いで、この傾斜面部６と約１３５度で連結されている内フラップ３１に設けられた破断可能線４を破断させることになる。したがって、側壁板２２を破断させる力を、傾斜面部６を介して内フラップ３１まで順次スムーズに伝達させることができる。
【００４９】
また、包装箱１では、一対の切目線６１により傾斜面部６を形成しているため、折目線ｄを残存させることで、包装箱１の梁となる縦の稜線と傾斜面部６とを両立させ、箱体の強度と、破断の容易性とを両立させることができる。
【００５０】
さらに、包装箱１では、下方外フラップ３２及び上方外フラップ３３の基端から突当て部３４の先端までの高さ（図２における上下方向の長さ）は、内フラップ３１の横幅の約半分である。そのため、内フラップ３１の幅方向の中央部は、下方外フラップ３２及び上方外フラップ３３が重ね合わせられておらず、かつ、この重ね合わせられていない領域に破断可能線４が形成されている。
【００５１】
よって、包装箱１によれば内フラップ３１を容易に破断することができるとともに、底板２１と、側壁板２２及び内フラップ３１の下半部と、下方外フラップ３２とにより、包装箱１の下半部をトレイ状にすることができる。
【００５２】
以下、本発明の変形例について説明する。
【００５３】
上述した本実施形態では、所謂ラップアラウンドケースを例に説明したが、本発明は、いわゆるＡ式やＢ式の段ボールケースであってもよい。
【００５４】
また、本実施形態では、段ボール板紙を材料として使用したものを例に説明したが、本発明は、厚紙など他の紙素材であってもよい。
【００５５】
また、本実施形態では、破断可能線４に跨るように破断開始部５が形成されたものを例に説明したが、破断開始部５は省略することもできる。
【００５６】
また、本実施形態では、傾斜面部６として略矩形状のものを例に説明したが、本発明はこれに限られず、切目線６１または鈍角折目線ｈを弧状にすることで、概略樽形状に形成することもできる。
【００５７】
また、本実施形態では、破断可能線４として、下方向に向かって凸状に湾曲したものを例に説明したが、本発明はこれに限られず、上方向に向かって凸状に湾曲してよく、波状であってもよく、直線状であってもよい。
【００５８】
また、本実施形態では、破断可能線４は、単位切目が概略「ヘ」の字状に形成されたものを例に説明したが、本発明はこれに限られず、単なる直線状の切れ目が断続的に設けられたものであってもよく、ジッパーであってもよい。
【符号の説明】
【００５９】
１    包装箱
２    胴部
２１  底板
２２  側壁板
２３  天板
３    閉塞部
３１  内フラップ
３２  下方外フラップ
３３  上方外フラップ
４    破断可能線
５    破断開始部
５１  手指挿入用破断可能線
６    傾斜面部
６１  切目線
ｇ    折目線
ｈ    鈍角折目線
【図１】
2020132245.tif 000003
【図２】
2020132245.tif 000004
【図３】
2020132245.tif 000005
【図４】
2020132245.tif 000006
【図５】
2020132245.tif 000007